(57)【要約】【課題】混合米を選別する揺動選別板において選別能率を高め構成を簡単化する。【解決手段】選別用の凹凸が形成されている揺動選別板２１，…を、縦方向及び横方向共に傾斜して横方向に斜め上下の往復揺動するように構成する。揺動選別板２１，…の排出側端部に対向させて板面に偏流分布している選別玄米と選別混合米を仕切る玄米仕切板２７のみを横方向に移動調節自在に設ける。揺動選別板２１，…における揺下側側壁２１ａの排出側寄り籾取出口２８を設け、籾取出口２８から取り出した選別籾を籾還元流路２９を経由して籾摺部１に還元するように構成する。【選択図】        図２
2005334814.tif 000002
【特許請求の範囲】
【請求項１】
選別用凹凸の形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、前記揺動選別板２
１，…の揺下側側壁２１ａの排出側に設けた籾取出口２８から選別籾を籾還元流路２９に取り出し可能に構成し、該籾還元流路２９の傾斜流路部分に籾粒と玄米粒を分離選別する選別網３３を設け、選別網３３により玄米粒を除去した選別籾を籾摺部１に還元するように構成したことを特徴とする揺動選別装置の選別穀粒取出装置。
【請求項２】
選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、前記揺動選別板
２１，…の揺下側側壁２１ａの排出側に設けた籾取出口２８から選別籾を籾還元流路２９に取り出し可能に構成し、該籾還元流路２９の傾斜流路部分に石等の異物を分離選別する異物選別手段３７を設け、異物選別手段３７により異物を除去した選別籾を籾摺部１に還元するように構成したことを特徴とする揺動選別装置の選別穀粒取出装置。
【請求項３】
選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、前記揺動選別板
２１，…の揺下側側壁２１ａの排出側に設けた籾取出口２８から選別籾を籾還元流路２９に取り出し可能に構成し、該籾還元流路２９の傾斜流路部分に籾粒と玄米粒を分離選別する選別網３３及び石等の異物を分離選別する異物選別手段３７を設け、玄米及び異物を除去した選別籾を籾摺部１に還元するように構成したことを特徴とする揺動選別装置の選別
穀粒取出装置。
【請求項４】
選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、揺動選別板２１，…の排出側端部に対向させて板面に偏流分布している玄米と混合米を仕切る玄米仕切板２７のみを横方向に移動調節自在に設け、前記揺動選別板２１，…の揺下側側壁２１ａの排出側に設けた籾取出口２８から選別籾を籾還元流路２９に取り出し籾摺部１に還元するように構成したことを特徴とする揺動選別装置の選別穀粒取出装置。
【請求項５】
選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、揺動選別板２１，…の排出側端部に対向させて板面に偏流分布している玄米と混合米を仕切る玄米仕切板２７のみを横方向に移動調節自在に設け、前記揺動選別板２１，…の揺下側側壁２１ａの排出側に設けた籾取出口２８から選別籾を籾還元流路２９に取り出して籾摺部１に還元するように構成し、揺動選別板２１，…の揺上側側壁２１ｂの縦方向中途部で且つ前記籾取出口２８よりも供給側寄りの玄米取出口４３から選別玄米を取り出し可能に構成したことを特徴とする揺動選別装置の選別穀粒取出装置。
【発明の詳細な説明】
【技術分野】
【０００１】
本発明は、揺動選別装置の選別穀粒取出装置に関するものである。
【背景技術】
【０００２】
混合米を籾と玄米に分離選別する揺動選別装置において、揺動選別板の排出側端部に籾、混合米、玄米の三種の流出路の形成されている穀粒排出樋を設け、揺動選別板の籾の偏流分布する揺下側の側壁に籾取出口を設け、この籾取出口と前記穀粒排出樋の籾流出路とを振動流穀管により連結したものは公知である（特許文献１、特許文献２）。
【特許文献１】特公昭６３−５４４３１号公報（第１頁、第２図）
【特許文献２】特開２００３−４７８６３号公報（第４頁、図１、図４）
【発明の開示】
【発明が解決しようとする課題】
【０００３】
従来装置にあっては、揺動選別板の籾の偏流分布する揺下側の側壁に籾取出口を設けて選別能率の向上を図るものであるが、揺動選別板の排出側端部に籾、混合米、玄米の三種の流出路の形成されている穀粒排出樋を設け、揺動選別板の排出側端部に対向して玄米仕切板及び籾仕切板を設ける構成であるので、選別穀粒の取出構成が複雑になるという不具合があった。
【０００４】
そこで、この発明は、揺動選別板に偏流分布した選別玄米及び選別籾を揺動選別板の排出側端部に到達する前に揺下側側壁に開口した籾取出口及び揺上側側壁に開口した玄米取出口から取り出して選別能率の向上をはかりながら、揺動選別板の排出側端部に対向して玄米仕切板のみを設けるようにして、穀粒取出構成の簡単化を図ろうとするものである。
【課題を解決するための手段】
【０００５】
前記問題点を解決するために、この発明は次のような技術的手段を講じた。
【０００６】
請求項１の発明は、選別用凹凸の形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、前記揺動選別板２１，…の揺下側側壁２１ａの排出側に設けた籾取出口２８から選別籾を籾還元流路２９に取り出し可能に構成し、該籾還元流路２９の傾斜流路部分に籾粒と玄米粒を分離選別する選別網３３を設け、選別網３３により玄米粒を除去した選別籾を籾摺部１に還元するように構成したことを特徴とする揺動選別装置の選別穀粒取出装置とする。
【０００７】
前記構成によると、選別用凹凸の形成されている縦方向及び横方向共に傾斜している揺動選別板２１，…を横方向斜め上下に往復揺動すると、籾、玄米の混合米は選別されて玄米は揺上側に、籾は揺下側に、分離されない籾、玄米の混合米はこれら籾、玄米の中間に偏流分布しながら選別される。そして、揺動選別板２１の揺下側に偏流分布した選別籾は揺下側側壁２１ａに沿って排出側に流動し、揺下側側壁２１ａに開口している籾取出口２８から籾還元流路２９に取り出され、更に、籾還元流路２９の傾斜流路部分を流下中に選別籾は選別網３３により選別され、玄米を除去した選別籾が籾摺部１に還元される。
【０００８】
請求項２の発明は、選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、前記揺動選別板２１，…の揺下側側壁２１ａの排出側に設けた籾取出口２８から選別籾を籾還元流路２９に取り出し可能に構成し、該籾還元流路２９の傾斜流路部分に石等の異物を分離選別する異物選別手段３７を設け、異物選別手段３７により異物を除去した選別籾を籾摺部１に還元するように構成したことを特徴とする揺動選別装置の選別穀粒取出装置とする。
【０００９】
前記構成によると、選別用凹凸の形成されている縦方向及び横方向共に傾斜している揺動選別板２１，…を横方向斜め上下に往復揺動すると、籾、玄米の混合米は選別されて、玄米は揺上側に、籾は揺下側に、分離されない籾、玄米の混合米はこれら籾、玄米の中間に偏流分布しながら選別される。そして、揺動選別板２１の揺下側に偏流分布した選別籾は揺下側側壁２１ａに沿って排出側に流動し、揺下側側壁２１ａに開口している籾取出口２８から籾還元流路２９に取り出され、更に、籾還元流路２９の傾斜流路部分を流下中に異物除去手段３７により選別され、異物を除去した選別籾が籾摺部１に還元される。
【００１０】
請求項３の発明は、選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、前記揺動選別板２１，…の揺下側側壁２１ａの排出側に設けた籾取出口２８から選別籾を籾還元流路２９に取り出し可能に構成し、該籾還元流路２９の傾斜流路部分に籾粒と玄米粒を分離選別する選別網３３及び石等の異物を分離選別する異物選別手段３７を設け、玄米及び異物を除去した選別籾を籾摺部１に還元するように構成したことを特徴とする揺動選別装置の選別穀粒取出装置とする。
【００１１】
前記構成によると、選別用凹凸の形成されている縦方向及び横方向共に傾斜している揺動選別板２１，…を横方向斜め上下に往復揺動すると、籾、玄米の混合米は選別されて、玄米は揺上側に、籾は揺下側に、分離されない籾、玄米の混合米はこれら籾、玄米の中間に偏流分布しながら選別される。そして、揺動選別板２１の揺下側に偏流分布した選別籾は揺下側側壁２１ａに沿って排出側に流動し、揺下側側壁２１ａに開口している籾取出口２８から籾還元流路２９に取り出される。そして、選別籾は籾還元流路２９の傾斜流路部分を流下中に、選別網３３により玄米が除去され、更に、異物除去手段３７により異物が除去された選別籾が籾摺部１に還元される。
【００１２】
請求項４の発明は、選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、揺動選別板２１，…の排出側端部に対向させて板面に偏流分布している玄米と混合米を仕切る玄米仕切板２７のみを横方向に移動調節自在に設け、前記揺動選別板２１，…の揺下側側壁２１ａの排出側に設けた籾取出口２８から選別籾を籾還元流路２９に取り出し籾摺部１に還元するように構成したことを特徴とする揺動選別装置の選別穀粒取出装置とする。
【００１３】
前記構成によると、選別用凹凸の形成されている縦方向及び横方向共に傾斜している揺動選別板２１，…を横方向斜め上下に往復揺動すると、籾、玄米の混合米は選別されて、玄米は揺上側に、籾は揺下側に、分離されない籾、玄米の混合米はこれら籾、玄米の中間に偏流分布しながら選別される。そして、揺動選別板２１の揺下側に偏流分布した選別籾は揺下側側壁２１ａに沿って排出側に流動し、揺下側側壁２１ａに開口している籾取出口２８から籾還元流路２９に取り出されて籾摺部１に還元される。また、板面の揺上側に偏流分布した選別玄米、及び、未分離の籾、玄米の中間に偏流分布した選別混合米は縦方向の排出側端部に流動し、選別玄米と選別混合米は玄米仕切板２７により仕切られて別個に取り出される。
【００１４】
請求項５の発明は、選別用の凹凸が形成されている揺動選別板２１，…を、穀粒の流下方向である縦方向の始端側を高い供給側、終端側を低い排出側とし、穀粒選別方向である横方向の一方側を高い揺上側、反対側を低い揺下側として縦方向及び横方向共に傾斜した構成とし、該揺動選別板２１，…を横方向に斜め上下に往復揺動する揺動選別装置において、揺動選別板２１，…の排出側端部に対向させて板面に偏流分布している玄米と混合米を仕切る玄米仕切板２７のみを横方向に移動調節自在に設け、前記揺動選別板２１，…の揺下側側壁２１ａの排出側に設けた籾取出口２８から選別籾を籾還元流路２９に取り出して籾摺部１に還元するように構成し、揺動選別板２１，…の揺上側側壁２１ｂの縦方向中途部で且つ前記籾取出口２８よりも供給側寄りの玄米取出口４３から選別玄米を取り出し可能に構成したことを特徴とする揺動選別装置の選別穀粒取出装置とする。
【００１５】
前記構成によると、選別用凹凸の形成されている縦方向及び横方向共に傾斜している揺動選別板２１，…を横方向斜め上下に往復揺動すると、籾、玄米の混合米は選別されて、玄米は揺上側に、籾は揺下側に、分離されない籾、玄米の混合米はこれら籾、玄米の中間に偏流分布しながら選別される。そして、揺動選別板２１の揺下側に偏流分布した選別籾は揺下側側壁２１ａに沿って排出側に流動し、揺下側側壁２１ａに開口している籾取出口２８から籾還元流路２９に取り出されて籾摺部１に還元される。また、板面の揺上側側壁２１ｂに沿って排出側に流動した選別玄米は揺上側側壁２１ａの縦方向中途部で且つ籾取出口２８よりも供給側寄りにある玄米取出口４３から取り出される。また、板面の揺上側に偏流分布した選別玄米、及び、揺下側に偏流分布した選別混合米は縦方向の排出側に流動し、排出側端部で玄米仕切板２７により選別玄米と選別混合米とに仕切られて別個に取り出される。
【発明の効果】
【００１６】
請求項１に記載の発明は、揺動選別板２１，…の揺下側側壁２１ａの排出側に設けた籾取出口２８から選別籾を籾還元流路２９に取り出すので、選別籾を速く取り出せて選別能率が向上し、また、選別籾から選別網３３により玄米を除去して籾摺部１に還元するので、玄米の二度摺りを少なくし穀粒の損傷を防止することができる。
【００１７】
請求項２に記載の発明は、揺動選別板２１，…の揺下側側壁２１ａの排出側に設けた籾取出口２８から選別籾を籾還元流路２９に取り出すので、選別籾を速く取り出せて選別能率が向上し、また、異物選別手段３７により異物を除去した選別籾を籾摺部１に還元するので、異物による籾揚穀手段や籾摺ロール８，８の損傷を防止することができる。
【００１８】
請求項３に記載の発明は、揺動選別板２１，…の揺下側側壁２１ａの排出側に設けた籾取出口２８から選別籾を籾還元流路２９に取り出すので、選別籾を速く取り出せて選別能率が向上し、また、選別網３３により玄米を除去した選別籾を籾摺部１に還元するので玄米の二度摺りを少なくして穀粒の損傷を防止し、また、異物選別手段３７により異物を除去した選別籾を籾摺部１に還元するので、異物による籾揚穀手段や籾摺ロール８，８の損傷を防止することができる。
【００１９】
請求項４に記載の発明は、揺動選別板２１，…の揺下側側壁２１ａの排出側に設けた籾取出口２８から選別籾を籾還元流路２９に取り出すので、選別籾を速く取り出せて選別能率が向上し、また、揺動選別板２１，…の排出側端部に対向配置した玄米仕切板２７のみにより、選別玄米と選別混合米を仕切り別個に取り出すように構成したので、選別穀粒の取出構成を簡単にすることができる。
【００２０】
請求項５に記載の発明は、揺動選別板２１，…の揺下側側壁２１ａの排出側に設けた籾取出口２８から選別籾を籾還元流路２９に取り出すと共に、揺動選別板２１，…の揺上側側壁２１ｂの縦方向中途部で且つ籾取出口２８よりも供給側寄りの玄米取出口４３から選別玄米を取り出すので、選別籾及び選別玄米を速く取り出せて選別能率が向上し、また、揺動選別板２１，…の排出側端部に対向配置した玄米仕切板２７のみにより、選別玄米と選別混合米を仕切り別個に取り出すように構成したので、選別穀粒の取出構成を簡単にすることができる。
【発明を実施するための最良の形態】
【００２１】
（実施例１）
以下本発明の揺動選別装置の一実施形態について説明する。
【００２２】
まず、図１に基づきこの発明を具備する籾摺選別機の全体構成について説明する。
【００２３】
籾摺選別機は、機体の前側部に配置した籾摺部１と、機体の前後方向中間部に配置した摺落米風選部２と、機体の後側部に配置した揺動選別板型の混合米選別部３と、混合米揚穀機４及び玄米揚穀機６等により構成されている。
【００２４】
籾摺部１は、籾ホッパ７と、籾摺ロール８，８の内装されている籾摺室９と、籾摺室９からの摺落米を摺落米風選部２に移送する振動型の摺落米移送棚１１等で構成されている。
【００２５】
摺落米風選部２は、選別始端側が下方に位置し、選別終端側が上方に位置し、中途部が後側の混合米選別部３側に屈曲している略上下方向に沿った摺落米選別風路１２と、摺落米選別風路１２の下端部に配設されている摺落米受樋１３と、摺落米選別風路１２の中途部に配置されている粃受樋１４と、摺落米選別風路１２の終端部に配設されている吸引ファン１６と、排塵筒１７等により構成されて
いる。
【００２６】
次に、揺動選別板型の混合米選別部３について説明する。
【００２７】
多段の揺動選別板２１，…には、板面に選別用凹凸が形成されていて、穀粒の流下方向である縦方向の始端側を高い供給側とし、終端側を低い排出側とし、選別方向である横方向の一方側を高い揺上側とし、反対側を低い揺下側として、揺動選別板２１，…の縦方向及び横方向共に傾斜した構成とし、揺動選別板２１，…を揺動アーム，揺動リンク等から構成されている揺動装置２２で、横方向斜め上下の往復揺動を付与するように構成している。
【００２８】
この揺動選別板２１，…の供給側の例えば揺下側に供給口が構成されていて、混合米揚穀機４から揚穀された混合米が、混合米タンク２３、分配供給樋２４及び分配ケース２６を経由して供給される構成である。揺動選別板２１，…の排出側に対向して選別玄米と選別混合米を仕切る玄米仕切板２７を横方向に移動調節自在に設けている。また、揺動選別板２１，…の揺下側側壁２１ａの排出側には籾取出口２８を設けると共に、揺下側側壁２１ａの側面に沿わせて籾還元流路２９を設け、籾取出口２８から取り出された選別籾が籾還元流路２９に流入するように構成している。なお、籾取出口２８の下端部には揺動選別板２１，…から略玄米高さほどに起立した流入阻止板を設けると、籾取出口２８への玄米の取り出しを少なくすることができる。
【００２９】
しかして、揺動選別板２１，…に供給された混合米は、粒形の大小，比重の大小，摩擦係数の大小等の関係で、比重の重い小形の玄米は揺上側に偏流分布し、また、玄米に比較して大きく比重の軽い籾は、揺下側に偏流分布し、その中間部には分離されない籾・玄米の混合米が偏流分布しながら選別される。
【００３０】
そして、揺下側に偏流分布した選別籾は揺下側側壁２１ａに沿って排出側に流下し、排出側終端部に到達する前に籾取出口２８から籾還元流路２９に取り出され、籾揚穀機３０を経て籾ホッパ７に揚穀還元され、再度の籾摺がなされる。
【００３１】
また、揺下側の選別籾は籾取出口２８から取り出しているので、揺動選別板２１，…の排出側終端部では、揺上側に玄米が偏流分布し揺下側に選別混合米が偏流分布し、これらの選別穀粒は玄米仕切板２２により仕切られて取り出される。そして、揺上側の選別玄米は玄米取出樋３１、玄米揚穀機６を経て機外に取り出される。また、揺下側の選別混合米は混合米取出樋３２、摺落米受樋１３、混合米揚穀機４、混合米タンク２３、分配供給樋２４、分配ケース２６を経て揺動選別板２１，…に供給され再選別される。
【００３２】
また、揺動選別板２１，…の縦方向の長さを例えば９５センチメートルと長く、横方向の長さを４５センチメートルと比較的短く構成し、揺動選別板２１，…の縦方向の傾斜角度及び横方向傾斜角度を縦傾斜調節手段（図示省略）及び横傾斜調節手段により夫れ夫れ調節可能に構成している。従って、縦傾斜調節手段（図示省略）及び横傾斜調節手段を調節することにより、選別籾を揺動選別板２１，…の排出側終端に至る前の籾取出口２８から取り出しが終了し、揺動選別板２１，…の排出側終端では選別玄米と選別混合米が偏流分布することとなる。
【００３３】
しかして、選別籾を揺動選別板２１，…の排出側終端に至る前の籾取出口２８により完了し、揺動選別板２１，…の排出側終端では揺上側に選別玄米が分布し揺下側に選別混合米のみが分布するので、揺動選別板２１，…の排出側終端部に対向させて玄米仕切板２７を設けるだけでよく、籾仕切板を不要として揺動選別装置の選別穀粒取出構成を簡素化し、操作を簡単化することができる。
【００３４】
また、図２、３に示すように、前記籾還元流路２９を、揺動選別板２１，…の揺下側側壁２１ａ，…に沿って取り付けられている始端側の縦流路２９ａと、終端側の傾斜流路２９ｂとにより構成し、傾斜流路２９ｂには流下穀粒の内籾は漏下しないが玄米の漏下する選別網３３を設け、選別網３３により選別された玄米を玄米取出口３４から取り出して摺落米受樋１３に供給し、また、選別された籾を籾排出口３６から取り出し籾揚穀機３０に供給するように構成している。しかして、籾摺部１への還元穀粒中の玄米の二度摺りを防止し玄米の損傷を防止することができる。
【００３５】
なお、図４に示すように、傾斜流路２９ｂの選別網３３の上方にパンチングメタル３７を設けて、パンチングメタル３７から漏下した籾・玄米を選別網３３に供給して選別し、パンチングメタル３７で分離した石等の異物を異物排出口３８から機外に取り出すように構成してもよい。
【００３６】
また、籾取出口２８及び籾還元流路２９を図３に示すように構成してもよい。即ち、揺動選別板２１，…の揺下側側壁２１ａの排出側には、縦方向に長く開口している籾取出口２８，…を設け、揺下側側壁２１ａの側面に沿わせて幅広の籾還元流路２９を設け、籾取出口２８から取り出された選別籾が籾還元流路２９に流入するように構成する。籾還元流路２９の始端側を縦流路２９ａに、終端側を傾斜流路２９ｂに構成し、傾斜流路２９ｂに所定間隔毎に線材を並列配置した異物取出装置３８を設け、異物取出装置３８を漏下した穀粒を籾排出口３６を経てから籾揚穀機３０に供給し、異物を箱体４１に取り出したり、機外に排出するように構成する。しかして、籾摺部１への還元穀粒中の玄米の二度摺りを防止して玄米の損傷を防止し、また、異物の籾揚穀機３０及び籾摺ロール８，８への供給を防止し、異音の発生を防止しながら円滑に籾摺作業をすることができる。
【００３７】
また、籾還元流路２９の傾斜流路２９ｂから穀粒を摺落米受樋１３に流下還元するにあたり、図１に示すように、穀粒の流下部に摺落米選別風路１２の終端側への飛散を防止する複数の回収板４２を先端側が下向く傾斜姿勢に突出状に設けている。しかして、穀粒が飛散しようとしても回収板４２に下方から衝突しながら摺落米受樋１３の底部に案内回収され、穀粒の摺落米選別風路１２の終端側への飛散を防止することができる。
【００３８】
また、揺動選別板２１，…を図７〜図９のように構成してもよい。
【００３９】
揺動選別板２１，…の揺下側側壁２１ａの排出側には前記実施例と同様に籾取出口２８を設け、揺下側側壁２１ａの側面に沿わせて籾還元流路２９を設け、籾取出口２８から取り出された選別籾を籾還元流路２９を経て籾揚穀機３０に供給し、籾摺部１に還元するように構成する。揺動選別板２１，…の排出側に対向して選別玄米と選別混合米を仕切る玄米仕切板２２のみを横方向に移動調節自在に設ける。また、揺動選別板２１，…の揺上側側壁２１ｂの縦方向中間部で且つ前記籾取出口２８よりも供給側に玄米取出口４３を開口し、玄米取出口４３から取り出した玄米を玄米流路４４を経て玄米取出樋３１に供給するように構成する。
【００４０】
前記構成とすることにより、揺動選別板２１，…の流下方向中間部で揺上側側壁２１ｂの玄米取出口４３から選別玄米を速く取り出すことができ、縦方向終端側に流下した穀粒層厚を薄くし選別能率を向上させることができる。
【００４１】
また、従来技術として実公平６−３０３１２号公報には、揺動選別板における縦方向終端部の揺上側側壁の玄米取出口から選別玄米を取り出し、縦方向終端部の揺下側側壁の混合米取出口から選別混合米を取り出し、縦方向中間部の揺下側側壁の籾取出口から選別籾を取り出すものがある。
【００４２】
しかし、揺動選別板の縦方向終端部の揺上側から選別玄米を取り出し、縦方向終端部の揺下側から選別混合米を取り出し、揺動選別板の排出側からは選別穀粒を取り出さない構成であるので、選別穀粒の取出量が少なく選別能率が低くなり、また、排出側終端部で穀粒層厚が一挙に薄くなることから籾の揺上側への移動が容易となり選別精度が低下するという不具合が発生する。しかし、前記構成とすることにより、このような不具合を解消することができる。なお、玄米取出口４３を開口するときその穀粒分布は、図７中実線のように玄米取出口４３側に偏寄する傾向となって、穀粒量の特に玄米量の少なくなった穀粒群が玄米取出口４３以降の選別板２１部分で良好に選別できるものである（図中２点鎖線は玄米取出口４３がない場合の穀粒分布を示す）。つまりこの玄米取出口４３の位置は、以降の選別板長さを勘案して所定の玄米取出幅を得られるごとく配置される。
【００４３】
また、籾還元流路２９の選別籾の還元構成を図１０に示すように構成してもよい。即ち、籾還元流路２９の下端部を前記粃受樋１４上に臨ませて選別籾を粃受樋１４に取り出すように構成し、粃受樋１４の粃ラセン１４ａにより一側に移送して、終端部に接続されている粃取出流路４６により、粃及び選別籾を機外に取り出し可能に構成する。そして、粃取出流路４６の中途部から流路４７を分岐し、分岐部に設けた切替弁４８により、穀粒を粃取出流路４６の終端部に流したり、あるいは、流路４７に流し流路４７を経て籾揚穀機３０に供給できるようにし、籾揚穀機３０を経由して選別籾と粃とをまとめて籾摺部１に還元し籾摺できるように構成する。
【００４４】
しかして、粃の籾摺部１への還元籾摺構成を簡単化し、粃を粃取出流路４６から取り出すことにより、粃受樋１４の粃選別状態を点検できる。
【００４５】
また、籾還元流路２９からの選別籾の還元構成を図１１、１２に示すように構成してもよい。即ち、粃受樋１４の粃ラセン１４ａにより選別された粃を一側に移送可能に構成し、粃取出流路４６から機外に取り出し可能に構成する。粃ラセン１４ａの軸部端に籾揚穀機３０のスローワ３０ａを取り付けると共に、籾還元流路２９の下端部を籾揚穀機３０の下端部に供給可能に構成する。このように構成することにより、籾揚穀機３０を籾摺部１の近い位置に設置することができ、駆動力を抑えながら円滑に選別籾を籾摺部１に揚穀還元することができる。なお、粃受樋１４の終端部に切替弁（図示省略）を設けて、粃ラセン１４ａの終端側に送られてきた粃を籾揚穀機３０に供給したり、あるいは、粃取出流路４６から機外に取り出すように構成してもよい。
【００４６】
また、籾還元流路２９の傾斜流路２９ｂに図１３に示すように、操作具５１ａ付きの切替板５１を設け、選別籾を籾還元流路２９の終端側に流したり、あるいは、切替板５１を開口回動して取出筒５２を介して機外に取り出しできるように構成してもよい。このように構成することにより、選別籾に混じっている異物を機外に取り出すことができ、籾揚穀機３０の損傷を防止しながら円滑に籾摺作業をすることができる。
【００４７】
また、揺動選別板２１の選別板面を図１４のように構成してもよい。即ち、揺動選別板２１の揺下側側壁２１ａの縦方向排出側寄りに籾取出口２８を設けて籾還元流路２９を介して選別籾を取り出すように構成し、揺動選別板２１の揺下側における籾取出口２８より排出側部分だけを選別凹凸部のないフラット板４９により構成する。しかして、揺動選別板２１の籾取出口２８よりも排出側部分の穀粒の排出側への流れを速くし、選別能率を高めることができる。
【００４８】
次に、図１により玄米揚穀機６の吸塵構成について説明する。
【００４９】
玄米揚穀機６のスローワ筒の上部には吸塵装置５３を付設し、吸塵装置５３を経由して玄米を取り出すように構成している。吸塵装置５３は、吸塵ボックス５３ａと、穀粒がジグザグに方向変換しながら流下する流下通路５３ｂと、流下通路５３ｂの下部に始端部を接続した集塵通路５３ｃとにより構成されている。そして、集塵通路５３ｃの終端側を吸塵通路５４の始端側に接続し、吸塵通路５４の中途部を混合米選別部３の分配供給樋２４の側方を通って機体前側に延設し、終端側を吸引ファン１６の吸入部に連通している。
【００５０】
その吸塵通路５４を吸引ファン１６に連通するにあたり、吸塵通路５４の中途部を前後方向に沿った略水平の中途通路５４ａとし、吸塵通路５４の終端部を上下方向に沿った終端通路５４ｂと、終端通路５４ｂの終端側に前上り傾斜に屈折状に接続されている接続通路５４ｃとにより構成して、接続通路５４ｃの前上り傾斜の終端側を吸引ファン１６の吸入部に接続している。
【００５１】
そして、終端通路５４ｂの下端部に開閉弁５６を設け、この開閉弁５６には滞留穀粒の重力により開口し、滞留穀粒がなくなると閉鎖されるようにバネ（図示省略）を介装している。この開閉弁５６から取り出された穀粒は流下通路５７に流下し、流下通路５７の下端部から前記粃受樋１４に供給されるように構成されている。
【００５２】
しかして、吸塵通路５４の塵埃類に粃粒が混入していても、粃粒は上下方向の終端通路５４ｂの下端部に落下滞積して捕捉され吸引ファン１６への流れが抑制され、吸引ファン１６からの粃の飛散を防止できる。また、終端通路５４ｂの下端部に粃粒が所定量溜ると、粃粒の自重により開閉弁５６が開けられて、粃粒が流下通路５７に落下し粃受樋１４に回収されるので、摺落米選別風路１２の選別風への影響を最小限に抑えながら粃粒を円滑に取り出すことができる。
【００５３】
次に、図１及び図１５に基づき分配供給樋２４の異物除去構成について説明する。
【００５４】
分配供給樋２４の穀粒流動部分の上部には、所定間隔置きに篩い線５８，…を設け、該篩い線５８，…の下方にはパンチングメタル６１を配置して上下複数段の選別手段を構成している。篩い線やパンチングメタルは一定方向へ案内可能に傾斜され、その傾斜下端部側に水平軸５９回りに回動可能に設けた堰止板５９ａが構成される。投入される穀粒（混合米）から上段の篩い線５８，…で穀稈切れ等の大きな異物が分離されて堰止板５９ａにて堆積し、パンチングメタル６１によって比較的小さい石、木片、稲こうじ等の異物が分離され同じく堰止板５９ａにて堆積される。堰止板５９ａはレバー６０の操作で開放姿勢に上動でき、この状態で堆積中の穀稈切れや石、木片、稲こうじ等は下方の排出樋６２に排出案内される構成である。この排出樋６２は、分配供給樋２４の底部に位置しておりパンチングメタル６１の下方に設けられる混合米移送棚６３の下方に設けられる構成である。なお、この混合米移送棚６３面には移送ラック機構を備え、揺動に伴って混合米を上記パンチングメタル６１の傾斜による案内とは逆に移送しうる構成である。この混合米移送棚６３の移送終端側には小さな砕米や糠類の漏下する選別網６３ａを配置し、選別網６３ａから漏下した糠類が上記排出樋６２に流下するように構成している。
【００５５】
そして、排出樋６２の終端側である前側部に吸塵通路６４の後側端部を接続し、この吸塵通路６４を前下がり状に前側に延出して吸引ファン１６の吸引部に接続している。なお、６５はバネにより押圧している均し板である。
【００５６】
しかして、排出樋６２に流入した穀稈切れ等の大きな異物、比較的小さい石、木片、稲こうじ等の異物及び小さな砕米や糠類を、吸塵通路６４を経由して吸引ファン１６に取り出し、異物の除去を簡単化することができる。
【００５７】
図１６〜１８に基づいて梱包構成について説明する。
【００５８】
従来、例えば籾摺機の梱包構造は、籾摺機全体を囲うように構成され、開梱後は荷枠の構成部材を多く要した。したがって、資源の活用を行い得ないものとなっていた。
【００５９】
そこで図１６（イ）のような梱包構成としたものがある。すなわち、籾摺機の下部は、パレット状の載せ枠６３単体にて構成される。該載せ枠６３は、長手方向複数本のフレーム部材６４，６４…を適宜間隔毎に配置して下面側においてその間隔部分を保持すべく連結する連結部材６５，６５でもって井桁状に枠組構成するものである。また、倉庫等に段積みするときは籾摺機の前後左右を囲うように上記載せ枠６３に載置される囲い枠６６を構成する。該囲い枠６６は縦枠部材６７と筋交い部材６８、更に横枠部材６９等からなっており、図１６（ロ）のように上方から被せ状にセットするもので、載せ枠６９に対してボルト止めして、段積み可能の梱包となる（図１６中（ハ））。
【００６０】
次いで、図１７の構成は、上記の例と同様の効果を奏し得るための梱包構造を示すが、上例とは一部籾摺機の構成部材が囲い枠７０からはみ出る構成である。すなわち具体的には仕上昇降機７１と唐箕の排塵胴７２とがはみ出す状態となっているが、いずれも縦方向高さは囲い枠７０高さ未満の関係にあって、倉庫等における段積みには支障ない構成となっている。また、一部が囲い枠７０から食み出す構成では、籾摺機外装の機体押し引きの取っ手７３がその食み出し構成に付帯されるよう構成することで、梱包状態での搬送取り扱い上での取っ手となり便利である。
【００６１】
図１８は改良案を示し、前記筋交い部材７４を丸形鋼とすることによって、搬送用のローラとして代替させることができる。
【図面の簡単な説明】
【００６２】
【図１】籾摺選別機の全体の切断側面図。
【図２】混合米選別部の斜視図。
【図３】籾還元流路の切断側面図。
【図４】別例の籾還元流路の切断側面図。
【図５】籾摺部及び混合米選別部の側面図。
【図６】図５の籾還元流路の斜視図。
【図７】揺動選別板の平面図。
【図８】図７のＡ−Ａ線の穀粒分布状態を示す断面図（１）、同Ｂ−Ｂ線の穀粒分布状態を示す断面図（２）、同Ｃ−Ｃ線の穀粒分布状態を示す断面図（３）。
【図９】揺動選別板部分の斜視図。
【図１０】粃受樋及び籾揚穀機部分の異なる籾摺選別機の全体の切断側面図。
【図１１】籾揚穀機、籾摺部部分の側面図。
【図１２】粃受樋及び籾揚穀機部分の切断背面図。
【図１３】籾還元流路部分の斜視図。
【図１４】揺動選別板の平面図。
【図１５】分配供給樋の斜視図。
【図１６】梱包構成の一例を示す正面図である。
【図１７】梱包構成の他の例を示す正面図である。
【図１８】梱包された籾摺機の運搬状態を示す正面図である。
【符号の説明】
【００６３】
１    籾摺部
２    摺落米風選部
３    揺動選別部
４    混合米揚穀機
６    玄米揚穀機
７    籾ホッパ
８    籾摺ロール
９    籾摺室
１０    摺落米選別風路
１３    摺落米受樋
２１    揺動選別板
２１ａ    揺下側側壁
２７    玄米仕切板
２８    籾取出口
２９    籾還元流路
３３    選別網
３７    異物選別手段（パンチングメタル）
４３    玄米取出口
４４    玄米流路
【図１】
2005334814.tif 000003
【図２】
2005334814.tif 000004
【図３】
2005334814.tif 000005
【図４】
2005334814.tif 000006
【図５】
2005334814.tif 000007
【図６】
2005334814.tif 000008
【図７】
2005334814.tif 000009
【図８】
2005334814.tif 000010
【図９】
2005334814.tif 000011
【図１０】
2005334814.tif 000012
【図１１】
2005334814.tif 000013
【図１２】
2005334814.tif 000014
【図１３】
2005334814.tif 000015
【図１４】
2005334814.tif 000016
【図１５】
2005334814.tif 000017
【図１６】
2005334814.tif 000018
【図１７】
2005334814.tif 000019
【図１８】
2005334814.tif 000020